(57)【要約】      （修正有）【課題】形状の崩れがなく且つクッション性が良好で、洗濯もできて爽快な感触がいつまでも保たれる、寝心地の良い枕を提供する。【解決手段】布製の袋体の内側に帯状布２の上辺と下辺を縫い付けて袋体１の内部を、頭を載せる枕本体部３と、肩を載せる肩当て部４とに区画する。肩当て部には内部に仕切り布７を縫い付けて、この仕切り布により肩当て部を表側室９と裏側室８とに上下に仕切る。そして表側室及び枕本体部には、微小発泡ビーズ、低反発ウレタン微粉末、マイクロファイバー綿の混合体から成る低反発クッション材Ｍを、また裏側室にはシート綿Ｎを、それぞれ充填する。【選択図】図５
0003203406.tif 000002
【実用新案登録請求の範囲】
【請求項１】
布製の袋体の内側に帯状布の上辺と下辺を縫い付けて袋体の内部を、頭を載せる枕本体部と肩を載せる肩当て部とに区画すると共に、帯状布の端部の遊離端により袋体の内部に枕本体部と肩当て部を連通する通孔を形成し、
また枕本体部には内部中央に拡張防止布を縫い付けて枕本体部の厚さを平坦に保持すると共に、肩当て部には内部に仕切り布を縫い付けて仕切り布により肩当て部を表側室と裏側室とに上下に仕切り、表側室は前記通孔を経由して枕本体部に接続させ、
さらに表側室及び枕本体部には低反発クッション材を、また裏側室にはシート綿を、それぞれ充填して構成することを特徴とする枕。
【請求項２】
前記低反発クッション材が、微小発泡ビーズ、低反発ウレタン微粉末、マイクロファイバー綿の混合体であることを特徴とする請求項１記載の枕。
【請求項３】
前記混合体の重量比が、微小発泡ビーズ１０、低反発ウレタン微粉末４、マイクロファイバー綿２であることを特徴とする請求項２記載の枕。
【請求項４】
前記枕本体部に筒状の充填口を設けたことを特徴とする請求項１記載の枕。
【請求項５】
前記肩当て部の外縁が、中央がくびれた円弧状に形成されていることを特徴とする請求項１記載の枕。
【考案の詳細な説明】
【技術分野】
【０００１】
これは寝具としての枕の考案である。
【背景技術】
【０００２】
寝心地のいい枕の要件は、厚みなどの形状のほか、使用時のクッション性や接触感に優れていることである。使用中に枕の形が崩れないように枕の内部を仕切って詰め物の偏りを防いだり、内部にヒノキやヒバなどの細片を詰めて爽快な接触感を実現したりしたものがある（特許文献１）。
【先行技術文献】
【特許文献】
【０００３】
【特許文献１】実用新案登録第３１７１１２４号公報
【考案の概要】
【考案が解決しようとする課題】
【０００４】
木片を充填すると爽快な芳香と感触が得られるが、日が経つと急激に爽快感が消失するばかりでなく、洗濯に向かず衛生的でないという問題がある。
この考案はこのような問題を解決するもので、形状の崩れがなく且つクッション性が良好で、洗濯もできて爽快な感触がいつまでも保たれる、寝心地の良い枕を提供することを目的とする。
【課題を解決するための手段】
【０００５】
請求項１の考案の枕は、布製の袋体の内側に帯状布の上辺と下辺を縫い付けて袋体の内部を、頭を載せる枕本体部と肩を載せる肩当て部とに区画すると共に、帯状布の端部の遊離端により袋体の内部に枕本体部と肩当て部を連通する通孔を形成し、
また枕本体部には内部中央に拡張防止布を縫い付けて枕本体部の厚さを平坦に保持すると共に、肩当て部には内部に仕切り布を縫い付けて仕切り布により肩当て部を表側室と裏側室とに上下に仕切り、表側室は前記通孔を経由して枕本体部に接続させ、
さらに表側室及び枕本体部には低反発クッション材を、また裏側室にはシート綿を、それぞれ充填して構成することを特徴とする。
【０００６】
請求項２の考案の枕は、前記低反発クッション材が、微小発泡ビーズ、低反発ウレタン微粉末、マイクロファイバー綿の混合体であることを特徴とする請求項１記載の枕である。
【０００７】
請求項３の考案の枕は、前記混合体の重量比が、微小発泡ビーズ１０、低反発ウレタン微粉末４、マイクロファイバー綿２であることを特徴とする請求項２記載の枕である。
【０００８】
請求項４の考案の枕は、前記枕本体部に筒状の充填口を設けたことを特徴とする請求項１記載の枕である。
【０００９】
請求項５の考案の枕は、前記肩当て部の外縁が、中央がくびれた円弧状に形成されていることを特徴とする請求項１記載の枕である。
【考案の効果】
【００１０】
請求項１の考案によれば、枕全体を枕本体部と肩当て部とに区画し、枕本体部には低反発クッション材を充填し、頭を載せるための枕本体部が弾力性と反復復元性を有するので、頭の位置を安定して支持できる。また肩当て部の裏側室にはシート綿を充填して弾力性を良くしているので、表側室を上にして使用すると、肩や首がやさしく包みこまれて肩こりが和らぐという効果が期待でき、裏側室を上にして使用すると比較的しっかりしたホールド感が感じられるという効果がある。
【００１１】
請求項２の考案によれば、低反発クッション材が、微小発泡ビーズ、低反発ウレタン微粉末及びマイクロファイバー綿の混合体なので、軽くてさらさらに流動する微小発泡ビーズの性質と、頭の重さで変形しても頭を動かすとすぐに復元してしっとり感のある低反発ウレタン微粉末の性質と、ふんわりしてもちもち感があり内部に空気を確保するマイクロファイバー綿の性質が、重畳的に発揮できる。
【００１２】
請求項３の考案によれば、微小発泡ビーズ、低反発ウレタン微粉末及びマイクロファイバー綿のそれぞれの性質が調和して全体的に優れた性質が生じる。
【００１３】
請求項４の考案によれば、筒状の充填口より低反発クッション材を供給すると枕本体部から通孔を経て肩当て部まで簡単に充填できるという効果がある。また充填口が筒状なので枕本体部の外に引き出せば簡単に縫って閉じることができ、閉じたら充填口から枕本体部の内部に押し込むだけで収納できる。
【００１４】
請求項５の考案によれば、肩当て部の外縁が、中央がくびれた円弧状なので、肩の回りから冷たい外気が布団の中に侵入するのを防ぐことができる。
【図面の簡単な説明】
【００１５】
【図１】この考案の実施形態の全体斜視図で充填口を枕の外部に引き出した状態を示す。
【図２】充填口を内部に収容した状態の図１の枕の使用状態を示す。
【図３】図１のＡ−Ａ線に沿う断面図
【図４】図１のＢ−Ｂ線に沿う断面図
【図５】図１のＣ−Ｃ線に沿う断面図
【考案を実施するための形態】
【００１６】
この考案の実施形態を図に従って説明する。
１は通気性に富むメッシュ生地で縫製した袋体で、その内側に長方形の帯状布２の上辺と下辺を縫い付けて、袋体１の内部を枕本体部３と肩当て部４とに区画する。帯状布２の二つの端部は遊離端として残し、これにより帯状布２の両端に通孔５、５を形成して、枕本体部３と肩当て部４を通孔５、５により接続する。
また枕本体部３の内部中央に拡張防止布６を縫い付けて枕本体部３の厚さを平坦に成形保持すると共に、肩当て部４には内部に仕切り布７の外縁全周を縫い付けてこれにより肩当て部４の内部に裏側室８を形成し、これにより肩当て部４の内部を仕切り布７の外側の表側室９と仕切り布７の内側の裏側室８とに仕切り、表側室９は通孔５，５を経由して枕本体部３に接続する。
１０は枕本体部３に開口した筒状の充填口で、枕本体部３の外側に引き出した状態（図１、５）で、低反発クッション材Ｍを充填口１０より空気圧で袋体１に圧送供給すると、枕本体部３から通孔５を経て肩当て部４の表側室９まで低反発クッション材が供給され、空気は袋体１から外部に漏出するので、効率よく低反発クッション材Ｍが充填できる。充填後は、充填口１０を縫って閉鎖し枕本体３の内部に押し込んで収容する。
一方、裏側室８の内部には仕切り布７を縫着する前にシート綿Ｎを詰めておく。肩当て部４の外縁は円弧状で中央がくびれた形状に形成する（図２）。
【００１７】
低反発クッション材Ｍは、重量比で、微小発泡ビーズ１０、低反発ウレタン微粉末４、マイクロファイバー綿２の混合体である。これらの重量比は枕の使い心地を追及し見出した数値である。このように低反発クッション材Ｍが、微小発泡ビーズ、低反発ウレタン微粉末及びマイクロファイバー綿の混合体なので、軽くてさらさらに流動する微小発泡ビーズの性質と、頭の重さで変形しても頭を動かすとすぐに復元してしっとり感のある低反発ウレタン微粉末の性質と、ふんわりしてもちもち感があり内部に空気を確保するマイクロファイバー綿の性質が、重畳的に発揮される。
【００１８】
頭を枕本体部３の上に載せると肩が自然に肩当て部４の表側室９に当たり使用感が良い。好みによって裏返して肩当て部４の裏側室８を上に向けてもよい（図２）。
洗濯は４０度前後のぬるま湯で丸洗いができる。
【符号の説明】
【００１９】
１  袋体
２  帯状布
３  枕本体部
４  肩当て部
５  通孔
６  拡張防止布
７  仕切り布
８  裏側室
９  表側室
１０  充填口
Ｍ  低反発クッション材
Ｎ  シート綿
【図１】
0003203406.tif 000003
【図２】
0003203406.tif 000004
【図３】
0003203406.tif 000005
【図４】
0003203406.tif 000006
【図５】
0003203406.tif 000007